(57)【要約】【課題】抗菌性を備え、しかも優れた口臭防止効果、活性酸素除去効果を有する歯ブラシを提供する。【解決手段】台部３と、その一端側に植設される多数のブラシ毛束４とを備え、上記ブラシ毛束４が、主として、平均粒子径が０．９〜３μｍに設定された石英安山岩ガラス状斑岩の微粒粉体を含有する合成樹脂製ブラシ毛で形成されている。【選択図】図１
2005130914.tif 000002
【特許請求の範囲】
【請求項１】
台部と、台部一端側に植設される多数のブラシ毛束とを備え、上記ブラシ毛束が、主として、平均粒子径が０．９〜３μｍに設定された石英安山岩ガラス状斑岩の微粒粉体を含有する合成樹脂製ブラシ毛で形成されていることを特徴とする歯ブラシ。
【請求項２】
上記合成樹脂製ブラシ毛に、銀粉末が含有されている請求項１記載の歯ブラシ。
【発明の詳細な説明】
【技術分野】
【０００１】
本発明は、優れた活性酸素除去効果を有する歯ブラシに関するものである。
【背景技術】
【０００２】
昨今の健康ブーム、清潔志向を背景に、単なる歯ブラシではなく、磨きながら、口腔内で抗菌性を発揮する歯ブラシや、口臭防止機能、歯垢除去機能等が高められた歯ブラシ等が各種提案され、賞用されている。
【０００３】
例えば、ナイロン製のブラシ毛に、亜鉛化合物等の抗菌剤を含有させることにより、口腔内の雑菌繁殖防止機能を高めたもの（特許文献１参照）や、ブラシ毛を植毛した部分に、永久磁石を埋め込み、口腔内に磁場を与えることにより、歯のクリーニング効果、歯垢の除去機能、口臭・虫歯の予防機能等を高めたもの（特許文献２参照）が提案されている。また、ブラシヘッド部に、チタン素材からなる金属を埋設して口腔内でマイナスイオンを発生させ、それによって殺菌作用、口臭防止作用、歯垢除去作用等を得るようにしたもの（特許文献３参照）も提案されている。
【特許文献１】特開平１０−５０４４号公報
【特許文献２】特開平６−１４８１３号公報
【特許文献３】特開２００３−２５０６３６号公報
【発明の開示】
【発明が解決しようとする課題】
【０００４】
ところで、最近、人体に悪影響を及ぼすものとして、「活性酸素」が話題を集めている。上記「活性酸素」は、紫外線の照射や、化学物質の摂取等により体内に生じるもので、歯みがき時にも、歯みがき剤が化学物質であることから、口中で多く発生しているとの報告がある。そこで、上記「活性酸素」の発生を防止もしくは除去できるような機能を歯ブラシに付加することが望まれているが、そのようなものは、実用化されていないのが実情である。
【０００５】
本発明は、このような事情に鑑みなされたもので、抗菌性を備え、しかも優れた口臭防止効果、活性酸素除去効果を有する歯ブラシの提供をその目的とする。
【課題を解決するための手段】
【０００６】
上記の目的を達成するため、本発明は、台部と、台部一端側に植設される多数のブラシ毛束とを備え、上記ブラシ毛束が、主として、平均粒子径が０．９〜３μｍに設定された石英安山岩ガラス状斑岩の微粒粉体を含有する合成樹脂製ブラシ毛で形成されている歯ブラシを第１の要旨とし、そのなかでも、特に、上記合成樹脂製ブラシ毛に、銀粉末が含有されている歯ブラシを第２の要旨とする。
【発明の効果】
【０００７】
すなわち、本発明の歯ブラシは、そのブラシ毛束が、主として、特定の平均粒子径に設定された石英安山岩ガラス状斑岩の微粒粉体を含有する合成樹脂性ブラシ毛で形成されているため、この歯ブラシで歯みがきすると、虫歯や口内炎、歯周病等の予防に効果を奏する。また、抗菌性、抗酸化性にも優れており、ブラシ毛束を束ねるのに用いられている金属ワイヤ（通常、埋設されていて見えない）に腐食が生じず、その部分に雑菌が繁殖しないため、長期にわたって衛生的に使用することができる。特に、この歯ブラシでは、唾液が大量に分泌されるという効果を奏し、唾液に含まれる唾液ペルオキシダーゼという抗酸化酵素によって、口中で活性酸素を効果的に除去することができる。
【０００８】
なお、本発明において、「主として、……石英安山岩ガラス状斑岩の微粒粉体を含有する合成樹脂製ブラシ毛で形成されている」とは、全体が、上記石英安山岩ガラス状斑岩の微粒粉体を含有する合成樹脂製ブラシ毛で形成されている場合も含む趣旨である。
【０００９】
そして、本発明のなかでも、特に、上記合成樹脂製ブラシ毛に、銀粉末が含有されている場合には、石英安山岩ガラス状斑岩と上記銀粉末の相乗効果により、一層優れた抗菌性、抗酸化性を得ることができる。
【発明を実施するための最良の形態】
【００１０】
つぎに、本発明を実施するための最良の形態について説明する。
【００１１】
図１は、本発明の歯ブラシの一実施の形態を示している。この歯ブラシは、ブラシ基台１と柄部２とが一体的に形成された台部３を有し、そのブラシ基台１の表面１ａに、多数のブラシ毛束４が所定間隔で列状に植設されている。
【００１２】
そして、上記ブラシ毛束４は、石英安山岩ガラス状斑岩の微粒粉体を含有する合成樹脂製ブラシ毛で形成されている。
【００１３】
上記合成樹脂製ブラシ毛の合成樹脂材料としては、ナイロン６、ナイロン６１２、ポリプロピレン、ポリエチレン、ポリエステル、ＡＢＳ樹脂、アクリル樹脂、ポリカーボネート等があげられ、なかでも、ナイロン６やナイロン６１２が好適に用いられる。これらは、２種以上を混合して用いてもよいし、２種類以上のモノマーからなる共重合体を用いてもよい。そして、ブラシ毛の太さは、通常、その直径が０．１〜０．５ｍｍ、なかでも０．２〜０．３ｍｍに設定することが、効果の上で好適である。
【００１４】
また、上記合成樹脂製ブラシ毛に含有させる石英安山岩ガラス状斑岩とは、鉱物学上、石英安山岩に属し、マグマ（岩漿）が急激に冷却して得られる天然のガラス質を多く含んだもので、特に、約５０００万年前の氷河期に、海底火山の噴火溶岩が急激に冷却結晶化し、純粋な火成岩のまま１０００ｍ以上の地下に埋もれて風化しておらず、ミネラル成分が豊富で結晶水の含有割合が４重量％以上と高いもの（松鉱石、ミネセラファイン社製）が好適である。
【００１５】
上記石英安山岩ガラス状斑岩は、岩石表面で起こる還元作用と、４〜１４μｍの遠赤外線効果を有し、人体によい影響を与える諸機能が高い。上記諸機能とは、例えば、人の脳内波におけるβ波の抑制とα波の出現化とによる精神安定持続効果をもたらす、血流速度や血流量を高めて血行を促進する、優れた抗菌性、抗酸化性を有する等の効果の外、石英安山岩ガラス状斑岩に含有される珪酸に由来する珪酸イオンの働きによって、歯が珪酸イオンコートされて、虫歯や歯周病の予防効果を奏する。しかも、上記珪酸イオンおよび他のミネラル成分の作用により、この歯ブラシで歯みがきすると、唾液が大量に分泌されるようになる。唾液には、唾液ペルオキシダーゼという抗酸化酵素が含まれているため、口中で活性酸素が効果的に除去され、体内に活性酸素が入ることを阻止する役割を果たす。また、抗菌性、抗酸化性を有することから、ブラシ毛束を束ねるのに用いられている金属ワイヤに腐食が生じず、その部分に雑菌が繁殖しないため、長期にわたって衛生的に使用することができる。
【００１６】
なお、上記石英安山岩ガラス状斑岩の組成例は、下記の表１に示すとおりである。
【００１７】
【表１】
2005130914.tif 000003
【００１８】
上記石英安山岩ガラス状斑岩の微粒粉体は、その平均粒子径は、０．９〜３μｍに設定されていなければならない。すなわち、０．９μｍよりも小さいと、唾液分泌効果等の効果が不充分となり、逆に、３μｍより大きいと、分散性、成形性および効果の点から問題となる。なかでも、１〜２μｍのものが好適である。
【００１９】
なお、上記石英安山岩ガラス状斑岩の微粒粉体を用いる場合は、これを所定の温度域で焼成したものと、未焼成のものとを混合すると、さらに優れた効果を奏することができる。すなわち、前記石英安山岩ガラス状斑岩の優れた諸機能は、未焼成微粒粉体にも備わっているが、焼成条件を変えて焼成した焼成微粒粉体との配合により、上記石英安山岩ガラス状斑岩の優れた諸機能の全部、もしくはその一部を選択的に高めることができるからである。
【００２０】
上記石英安山岩ガラス状斑岩の微粒粉体を焼成する場合、その焼成方法は、従来公知の方法で差し支えないが、焼成温度を３００〜１５００℃に設定することが望ましい。すなわち、焼成温度が３００℃未満では、未焼成のものと実質的な差異がなく、逆に、１５００℃を超えても、焼成微粒粉体の機能がそれ以上高まらず、場合によっては機能が低下するおそれがあるからである。
【００２１】
なお、焼成温度、焼成のためのエネルギー源（石油，ガス，電気，重油，石炭，コークス，太陽光，薪）によって、得られる焼成微粒粉体の諸機能が微妙に異なることがわかっており、通常、焼成温度は、３５０〜１３５０℃に設定することが、より好適である。また、焼成時間は、１５〜１８０分に設定することが好適であり、エネルギー源としては、薪が最適である。
【００２２】
上記焼成微粒粉体Ｘと未焼成微粒粉体Ｙとを組み合わせて用いる場合、その配合割合（Ｘ：Ｙ）は、用途に応じて適宜設定されるが、なかでも、重量基準で、１：９９〜２０：８０、特に５：９５〜１５：８５に設定することが好適である。すなわち、焼成微粒粉体Ｘが１重量％（以下「％」と略す）未満では、焼成によって高められた機能にもとづく効果が弱く、逆に２０％を超えて配合しても、それ以上の効果が得られにくく、経済的でないからである。
【００２３】
本発明において、上記石英安山岩ガラス状斑岩の微粒粉体を合成樹脂製ブラシ毛に含有させる割合は、特に限定するものではないが、通常、０．１〜５％、なかでも０．５〜２％に設定することが好適である。すなわち、０．１％未満では、石英安山岩ガラス状斑岩の微細粒粉体に由来する効果が弱くなり、逆に、５％を超えると、良好な成形性が損なわれるおそれがあるからである。
【００２４】
上記構成の歯ブラシによれば、ブラシ毛に含有されている石英安山岩ガラス状斑岩の微粒粉体に由来する効果により、血行が促進されるとともに、珪酸イオンの働きにより、歯が珪酸イオンコートされて、虫歯や歯周病の予防効果を奏する。しかも、上記珪酸イオンおよび他のミネラル成分の作用により、この歯ブラシで歯みがきすると、唾液が大量に分泌されるようになる。唾液には、唾液ペルオキシダーゼという抗酸化酵素が含まれているため、口中で活性酸素が効果的に除去され、体内に活性酸素が入ることを阻止する役割を果たす。また、抗菌性、抗酸化性を有することから、ブラシ毛束を束ねるのに用いられている金属ワイヤに腐食が生じず、その部分に雑菌が繁殖しないため、長期にわたって衛生的に使用することができる。
【００２５】
なお、上記の例では、ブラシ毛束４の全体を、石英安山岩ガラス状斑岩の微粒粉体を含有する合成樹脂製ブラシ毛で形成したが、必ずしも、全体を、上記微粒粉体を含有する合成樹脂性ブラシ毛で形成する必要はなく、一部を、上記微粒粉体含有ブラシ毛ではなく、上記微粒粉体を含有しない、一般的なブラシ毛で置き換えることができる。ただし、その場合、一般的なブラシ毛の配合割合は、１つのブラシ毛束４において、本数割合で、全体を１００本とすると、３０本以下にとどめることが好適である。すなわち、３０本より多く配合すると、上記微粒粉体に由来する効果が弱くなって好ましくないからである。
【００２６】
また、本発明において、合成樹脂製ブラシ毛に、上記石英安山岩ガラス状斑岩とともに、銀粉末を含有させるようにしてもよい。上記銀粉末は、石英安山岩ガラス状斑岩と相俟って、その抗菌性、抗酸化性を高めることができる。なお、銀粉末としては、平均粒子径が０．９〜３μｍに設定されたものを用いることが好適であり、特に、石英安山岩ガラス状斑岩の微粒粉体の粒度と同一粒度のものを用いることが好適である。そして、上記銀粉末の配合割合は、０．０１〜０．５％に設定することが好適であり、特に、石英安山岩ガラス状斑岩の微粒粉体の配合割合の１／１０程度に設定することが好適である。
【００２７】
さらに、本発明において、歯ブラシの形状は、図１の形状に限定されるものではなく、歯を磨く機能を備えたものであれば、どのような形態のものであっても差し支えない。そして、手動で用いる通常のタイプの外、ヘッド部分が交換できるタイプのもの、電動歯ブラシにおいて、着脱自在に設けられる歯ブラシ部等に適用することもできる。
【実施例】
【００２８】
つぎに、本発明の実施例について比較例とともに説明する。
【００２９】
〔実施例１〕
前記表１に示す石英安山岩ガラス状斑岩イを、平均粒子径２μｍの微粒粉体にしたのち、ナイロン６１２に１％配合し、直径０．２３ｍｍのモノフィラメントを得た。このものをブラシ毛とし、図１に示す歯ブラシを作製した。なお、植設されたブラシ毛束４の数は２８束、各ブラシ毛束４におけるブラシ毛Ａの本数は、３１本とした。そして、植設されたブラシ毛の高さは１０ｍｍ）とした。
【００３０】
〔実施例２〕
石英安山岩ガラス状斑岩の微粒粉体として、その一部を、６７０℃×４５分の焼成条件で、薪をエネルギー源として焼成した。この焼成微粒粉体Ｘと、未焼成微粒粉体Ｙとを、重量基準（以下同じ）で１０：９０の配合割合で混合して微粒粉体として用いた。それ以外は、実施例１と同様にして、図１に示す歯ブラシを得た。
【００３１】
〔比較例１〕
外観が図１に示す歯ブラシと同様で、ブラシ毛束４を全て、石英安山岩ガラス状斑岩の微粒粉体を含有しない、ナイロン６１２のみからなるブラシ毛とした。
【００３２】
これらの実施例１、２品、比較例１品について、後記の表２に示す各項目に関して評価を行い、その結果を、後記の表２に併せて示した。なお、各項目の評価方法は、以下のとおりである。
【００３３】
〔唾液分泌量〕
被験者（５０才、男性）に、歯ブラシに水をつけず、３分間歯みがきを行わせた。その間、口中に生じた唾液を容器に吐き出させて、その量を測定した。
【００３４】
〔口臭除去性〕
モニター１０名に、歯みがきを３分間行わせ、歯みがき後の、口中の清浄感を官能評価した。◎…口臭がなくなりとても清浄、○…ふつう、△…やや不良、×…不良、の４段階評価とした。
【００３５】
〔抗菌性〕
ＪＩＳ  Ｚ  ２８０１  ２０００（抗菌加工製品−抗菌性試験方法・抗菌効果）５．２項に従い、下記の方法で試験を行った。なお、ブランクとしては、試験菌液のみを用いた。
試験菌液：普通ブイヨン培地をリン酸緩衝生理食塩水で５００倍に希釈し、ｐＨを７．０          ±０．２に調整したものに、前培養した試験菌液を均一に分散させて、試験菌          液とした。
試験操作：菌液（１０ミリリットル）の入った試験管に、歯ブラシのブラシ部分を浸漬し          、３５℃、相対湿度９０％以上の恒温槽中に２４時間放置し、その後の生菌数          を測定した。
試験菌株：黄色ぶとう球菌…Ｓｔａｐｈｙｌｏｃｏｃｃｕｓ  ａｕｒｅｕｓ  ＮＢＲＣ                            １２７３２
大腸菌…Ｅｓｃｈｅｒｉｃｈｉａ  ｃｏｌｉ  ＮＢＲＣ３９７２
【００３６】
【表２】
2005130914.tif 000004
【００３７】
上記の結果から、実施例品はいずれも優れた効果を奏することがわかる。
【図面の簡単な説明】
【００３８】
【図１】本発明の一実施例の斜視図である。
【符号の説明】
【００３９】
３  台部
４  ブラシ毛束
【図１】
2005130914.tif 000005